(57)【要約】      （修正有）【課題】太陽光の受光状態において、太陽光パネルが、太陽光に対して、できるだけ直角か、または直角に近づける状態になるソーラーライトを提供する。【解決手段】太陽光パネルと、前記太陽光パネルからの受光により発光を行う発光部と、前記太陽光パネルからの受光により充電を行う充電部と、前記発光部の制御を行う制御部とを備えるソーラーライト本体２０と、ソーラーライト本体２０の受光状態において、ソーラーライト本体２０を水平面から上方に向けて、太陽光の入射に対して垂直に臨むべくソーラーライト本体２０を傾斜して保持する取付具４０とを備えるよう構成した。【選択図】図１
0003174017.tif 000002
【実用新案登録請求の範囲】
【請求項１】
太陽光パネルと、前記太陽光パネルからの受光により発光を行う発光部と、前記太陽光パネルからの受光により充電を行う充電部と、前記発光部の制御を行う制御部とを備えるソーラーライト本体と、
前記ソーラーライト本体の受光状態において、前記ソーラーライト本体を水平面から上方に向けて、太陽光の入射に対して垂直に臨むべく前記ソーラーライト本体を傾斜して保持する取付具とを備える
ことを特徴とするソーラーライト。
【請求項２】
前記ソーラーライト本体と前記取付具とを別体として構成することを特徴とする請求項１に記載のソーラーライト。
【請求項３】
前記傾斜角度が７５度乃至３５度であることを特徴とする請求項１又は２に記載のソーラーライト。
【請求項４】
前記傾斜角度が５５度であることを特徴とする請求項３に記載のソーラーライト。
【請求項５】
前記太陽光パネルを載置面に臨ませると共に、
前記制御部は、前記太陽光パネルからの電圧を検知する電圧検知部と、前記発光部の点灯及び消灯の制御を行う点灯回路とを備え、
前記太陽光パネルからの電圧を検知し、検知した電圧が所定電圧より低い場合は、前記点灯回路をＯＮ状態として、前記発光部を点灯させる制御を行うことを特徴とする請求項１乃至４の何れかに記載のソーラーライト。
【請求項６】
前記ソーラーライト本体は、前記発光部を覆う略錐状の照明カバーを備えることを特徴とする請求項１乃至４の何れかに記載のソーラーライト。
【請求項７】
前記照明カバーの内面には、略一面に涙状突起部を多数備えることを特徴とする請求項６に記載のソーラーライト。
【請求項８】
前記照明カバーの頂部には、内方に向けて突設する略錐状の突起部を備えることを特徴とする請求項６又は７に記載のソーラーライト。
【考案の詳細な説明】
【技術分野】
【０００１】
本考案は、太陽電池を使用したソーラーライトに関する。Ｐ
【背景技術】
【０００２】
従来、太陽電池を使用したソーラーライトとしては、例えば、非特許文献１に記載のコンパクトソーラーパネルＡ（図１４（ａ）参照）や、非特許文献２に記載のソーラーライトＢ（図１４（ｂ）参照）が公知である。
【０００３】
しかしながら、図１５（ａ）に示すように、非特許文献１に記載のソーラーパネルＡ（商品名「コンパクトソーラーパネル」  商品番号「ＢＧ−ＢＬ０１Ｇ−Ｗ」）は、太陽光パネルの取付位置が、略垂直であり、また、図１５（ｂ）に示すソーラーライトＢ（商品名「ムーンジャー」）は、太陽光パネルが水平面に取り付けられており、前記各ソーラーライトにおいては、載置した状態で太陽光の受光面における日照強度が、太陽光に対して直角に受光面を配置した状態と比して、十分ではなく、発電（充電）効率に劣るものとなっている。
【先行技術文献】
【非特許文献】
【０００４】
【非特許文献１】パナソニック−商品情報[個人]トップ >−ライト／懐中電灯−ランタン−コンパクトソーラーライト−ＢＧ−ＢＬ０１Ｇ−Ｗ  （ＵＲＬ  ｈｔｔｐ：／／ｃｔｌｇ．ｐａｎａｓｏｎｉｃ．ｊｐ／ｐｒｏｄｕｃｔ／ｉｎｆｏ．ｄｏ？ｐｇ＝０４＆ｈｂ＝ＢＧ−ＢＬ０１Ｇ−Ｗ）
【非特許文献２】サンジャー  ムーンジャー  （ＵＲＬ  ｈｔｔｐ：／／ｉｅｔｍ．ｒａｋｕｔｅｎ．ｃｏ．ｊｐ／ｃｏｃｏａ／ｃ／０００００００７７６／
【考案の概要】
【考案が解決しようとする課題】
【０００５】
本考案は、かかる事情に鑑みてなされたものであって、受光状態において、太陽光パネルが、太陽光に対して、できるだけ直角か、または直角に近づける状態になるソーラーライトを提供することを目的とする。
【０００６】
また、本考案の他の目的は、載置した状態で自動的に点灯するソーラーライトを提供することを目的とする。
【０００７】
さらに、本考案の他の目的は、ソーラーライトの点灯時に、効率よく発光することのできるソーラーライトを提供することを目的とする。
【課題を解決するための手段】
【０００８】
請求項１に記載のソーラーライトは、太陽光パネルと、前記太陽光パネルからの受光により発光を行う発光部と、前記太陽光パネルからの受光により充電を行う充電部と、前記発光部の制御を行う制御部とを備えるソーラーライト本体と、前記ソーラーライト本体の受光状態において、前記ソーラーライト本体を水平面から上方に向けて、太陽光の入射に対して垂直に臨むべく前記ソーラーライト本体を傾斜して保持する取付具とを備えることを特徴とする。
【０００９】
請求項１に記載のソーラーライトにあっては、太陽光の受光状態において、前記太陽光パネルを日射方向に対して概略直角方向に臨ませて位置させることが可能となり、太陽光パネルが、太陽光に対して、できるだけ直角か、または直角に近づける状態になり、従来例に比して日照強度に優れ、充電効率の良いものとなる。
【００１０】
請求項２に記載のソーラーライトは、請求項１に記載のソーラーライトにおいて、前記ソーラーライト本体と前記取付具とを別体として構成することを特徴とする。
【００１１】
請求項２に記載のソーラーライトにあっては、請求項１に記載のソーラーライトに加えて、前記ソーラーライト本体が、前記取付具から取り外し可能であるので、前記ソーラーライト本体単体で、簡易照明器具として持ち運びが可能であり、いろいろな場所に載置して使用することができる。
【００１２】
請求項３に記載のソーラーライトは、請求項１又は２に記載のソーラーライトにおいて、前記傾斜角度が７５度乃至３５度であることを特徴とする。
【００１３】
請求項３に記載のソーラーライトにあっては、太陽光の受光状態において、前記太陽光パネルを日射方向に対して概略直角方向に臨ませて位置させることが可能となり、太陽光パネルが、太陽光に対して、できるだけ直角か、または直角に近づける状態になり、従来例に比して日照強度に優れ充電効率の良いものとなる。
【００１４】
請求項４に記載のソーラーライトは、請求項３に記載のソーラーライトにおいて、前記傾斜角度が５５度であることを特徴とする。
【００１５】
請求項４に記載のソーラーライトにあっては、太陽光の受光状態において、前記太陽光パネルを日射方向に対して概略直角方向に臨ませて位置させることが可能となり、太陽光パネルが、太陽光に対して、できるだけ直角か、または直角に近づける状態になり、従来例に比して日照強度に優れ充電効率の良いものとなる。
【００１６】
請求項５に記載のソーラーライトは、請求項１乃至４の何れかに記載のソーラーライトにおいて、前記制御部は、前記太陽光パネルからの電圧を検知する電圧検知部と、前記発光部の点灯及び消灯の制御を行う点灯回路とを備え、前記太陽光パネルからの電圧を検知し、検知した電圧が所定電圧より低い場合は、前記点灯回路をＯＮ状態として、前記発光部を点灯させる制御を行うことを特徴とする。
【００１７】
請求項５に記載のソーラーライトにあっては、請求項１乃至４の何れかに記載のソーラーライトに加えて、載置して使用する場合に、前記太陽光パネルの電圧を低下させて、前記発光部を自動的に点灯することができる。
【００１８】
請求項６に記載のソーラーライトは、請求項１乃至５の何れかに記載のソーラーライトにおいて、前記ソーラーライト本体は、前記発光部を覆う略錐状の照明カバーを備えることを特徴とする。
【００１９】
請求項６に記載のソーラーライトにあっては、請求項１乃至５の何れかに記載のソーラーライトに加えて、前記発光部からの発光を周囲に拡散させて、発光の均一性を保持すると共に、輝度向上も図ることができる。
【００２０】
請求項７に記載のソーラーライトは、請求項６に記載のソーラーライトにおいて、前記照明カバーの内面には、略一面に涙状突起部を多数備えることを特徴とする。
【００２１】
請求項７に記載のソーラーライトにあっては、請求項６に記載のソーラーライトに加えて、さらに、前記発光部からの発光を周囲に拡散させて、発光の均一性を保持すると共に、輝度向上も図ることができると共に、突起部を涙状としているので、成型時に成型型からの抜き作業を円滑に行うことができる。
【００２２】
請求項８に記載のソーラーライトは、請求項６又は７に記載のソーラーライトにおいて、前記照明カバーの頂部には、内方に向けて突設する略錐状の突起部を備えることを特徴とする。
【００２３】
請求項８に記載のソーラーライトにあっては、請求項６又は７に記載のソーラーライトに加えて、さらに、前記発光部からの発光を周囲に拡散させて、発光の均一性を保持すると共に、輝度向上も図ることができる。
【考案の効果】
【００２４】
請求項１に記載のソーラーライトによれば、太陽光パネルと、前記太陽光パネルからの受光により発光を行う発光部と、前記太陽光パネルからの受光により充電を行う充電部と、前記発光部の制御を行う制御部とを備えるソーラーライト本体と、前記ソーラーライト本体の受光状態において、前記ソーラーライト本体を水平面から上方に向けて、太陽光の入射に対して垂直に臨むべく前記ソーラーライト本体を傾斜して保持する取付具とを備えているので、太陽光の受光状態において、前記太陽光パネルを日射方向に対して概略直角方向に臨ませて位置させることが可能となり、太陽光パネルが、太陽光に対して、できるだけ直角か、または直角に近づける状態になり、従来例に比して日照強度に優れ充電効率の良いものとなる。
【００２５】
請求項２に記載のソーラーライトによれば、請求項１に記載のソーラーライトにおいて、前記ソーラーライト本体と前記取付具とを別体として構成しているので、請求項１に記載のソーラーライトに加えて、前記ソーラーライト本体が、前記取付具から取り外し可能であるので、前記ソーラーライト本体単体で、簡易照明器具として持ち運びが可能であり、いろいろな場所に載置して使用することができる。
【００２６】
請求項３に記載のソーラーライトによれば、請求項１又は２に記載のソーラーライトにおいて、前記傾斜角度が７５度乃至３５度に形成しているので、太陽光の受光状態において、前記太陽光パネルを日射方向に対して概略直角方向に臨ませて位置させることが可能となり、太陽光パネルが、太陽光に対して、できるだけ直角か、または直角に近づける状態になり、従来例に比して日照強度に優れ充電効率の良いものとなる。
【００２７】
請求項４に記載のソーラーライトによれば、請求項３に記載のソーラーライトにおいて、前記傾斜角度が５５度に形成しているので、太陽光の受光状態において、前記太陽光パネルを日射方向に対して概略直角方向に臨ませて位置させることが可能となり、太陽光パネルが、太陽光に対して、できるだけ直角か、または直角に近づける状態になり、従来例に比して日照強度に優れ充電効率の良いものとなる。
【００２８】
請求項５に記載のソーラーライトによれば、請求項１乃至４の何れかに記載のソーラーライトにおいて、前記制御部は、前記太陽光パネルからの電圧を検知する電圧検知部と、前記発光部の点灯及び消灯の制御を行う点灯回路とを備え、前記太陽光パネルからの電圧を検知し、検知した電圧が所定電圧より低い場合は、前記点灯回路をＯＮ状態として、前記発光部を点灯させる制御を行うように構成しているので、請求項１乃至４の何れかに記載のソーラーライトに加えて、載置して使用する場合に、前記太陽光パネルの電圧を低下させて、前記発光部を自動的に点灯することができる。
【００２９】
請求項６に記載のソーラーライトによれば、請求項１乃至５の何れかに記載のソーラーライトにおいて、前記ソーラーライト本体は、前記発光部を覆う略錐状の照明カバーを備えているので、請求項１乃至４の何れかに記載のソーラーライトに加えて、前記発光部からの発光を周囲に拡散させて、発光の均一性を保持すると共に、輝度向上も図ることができる。
【００３０】
請求項７に記載のソーラーライトによれば、請求項６に記載のソーラーライトにおいて、前記照明カバーの内面には、略一面に涙状突起部を多数備えているので、請求項６に記載のソーラーライトに加えて、さらに、前記発光部からの発光を周囲に拡散させて、発光の均一性を保持すると共に、輝度向上も図ることができると共に、突起部を涙状としているので、成型時に成型型からの抜き作業を円滑に行うことができる。
【００３１】
請求項８に記載のソーラーライトによれば、請求項６又は７に記載のソーラーライトにおいて、前記照明カバーの頂部には、内方に向けて突設する略錐状の突起部を備えているので、請求項６又は７に記載のソーラーライトに加えて、さらに、前記発光部からの発光を周囲に拡散させて、発光の均一性を保持すると共に、輝度向上も図ることができる。
【図面の簡単な説明】
【００３２】
【図１】本考案に係るソーラーライトの側面である。
【図２】本考案に係るソーラーライト本体の斜視図である。
【図３】本考案に係るソーラーライト本体の載置状態を示す斜視図である。
【図４】本考案に係るソーラーライト本体の主要部品部品収納部を示す斜視図である。
【図５】本考案に係るソーラーライトの電気的構成の一例を示すブロック図である。
【図６】本考案に係るソーラーライトの制御部の処理手順の一例を示すフローチャートである。
【図７】本考案に係るソーラーライトの照明カバーの斜視図である。
【図８】本考案に係るソーラーライトの照明カバーの縦断面図である。
【図９】本考案に係るソーラーライトの照明カバーの横縦断面斜視図である。
【図１０】本考案に係るソーラーライトの取付具の斜視図である。
【図１１】本考案に係るソーラーライトの取付状態を示す出窓の室外側からの斜視図である。
【図１２】本考案に係るソーラーライトの載置状態を示す出窓の室内側からの斜視図である。
【図１３】本考案に係るソーラーライトの取付状態における太陽光の受光状況の概略説明図である。
【図１４】従来例を示す図であり、（ａ）は直立式ソーラーライトであり、（ｂ）は垂直載置式ソーラーライトである。
【図１５】従来例の日照強度を示す概略図であり、（ａ）は直立式ソーラーライトの概略図であり、（ｂ）は垂直載置式ソーラーライトの概略図である。
【図１６】北緯３５度の南中時の日射角度を示す概略図であり、（ａ）は夏至時、（ｂ）は春分秋分時、（ｃ）は冬至時の概略図である。
【考案を実施するための形態】
【００３３】
以下、本考案を実施するための形態を図面に基づいて具体的に説明する。
【００３４】
図１は本考案に係るソーラーライトの斜視図である。図１において、１０はソーラーライトであり、前記ソーラーライト１０は、ソーラーライト本体２０と前記ソーラーライト本体を着脱自在に取り付ける取付ホルダー４０とで構成されている。
【００３５】
図２はソーラーライト本体２０の斜視図であり、図３はソーラーライト本体２０の載置状態を示す斜視図であり、図４はソーラーライト本体の主要部品部品収納部を示す斜視図である。
【００３６】
図２及び図３に示すように、ソーラーライト本体２０は、合成樹脂で成型された概略円筒形状からなると共に内部に前記ソーラーライト本体２０の主要構成部品を収納する部品収納部２１と、前記部品収納部２１に嵌合可能に成型された半透明の合成樹脂製の概略円錐形状からなる照明カバー３１とから構成されている。
【００３７】
そして、前記部品収納部２１の一面には、当該一面を受光面２４として、太陽光パネル２３を前記受光面２４に臨むように取り付けている。さらに、図４に示すように、前記部品収納部の他面の中央部にＬＥＤ電球２５を取り付けると共に、後述する制御基板２８を入り切りするスライドスイッチ２６を臨ませている。そして、その周囲には、前記照明カバー３１を嵌合するための係合突部２９を３カ所に亘り穿設している。なお、前記太陽光パネル２３は、太陽光だけでなく、室内の電灯等の人工光を受光することによっても発電が可能である。
【００３８】
前記ソーラーライト本体２０は、図３に示すように、前記前記取付ホルダー４０から取り外して使用することができ、その場合、前記受光面２４を載置面２２として、平面に載置することができる。
【００３９】
図５は前記ソーラーライト１０の電気的構成の一例を示すブロック図であり、図６は前記ソーラーライト１０の制御部の処理手順の一例を示すフローチャートである。
【００４０】
図５に示すように、前記部品収納部２１内には、前記ＬＥＤ球２５および前記スライドスイッチ２６に接続する制御基板（制御部）２８が収納されており、前記制御基板（制御部）２８には、さらに充電池（充電部）２７が接続されている。そして、前記制御基板（制御部）２８には、太陽光パネル２３からの電圧を検知する電圧検知部２８ａと、前記ＬＥＤ電球２５を点灯／消灯させる点灯回路２８ｂと、前記充電池（充電部）２７への接続を入り切りする充電回路２８ｃとを備えている。
【００４１】
そして、前記制御部（制御基板）２８は、前記太陽光パネル２３の電圧を検知して、該電圧の変化により前記ＬＥＤ電球２５の点灯消灯処理を行っている。この処理手順の一例を、図６のフローチャートに基づいて説明する。
【００４２】
先ず、前記太陽光パネル２３からの電圧を前記電圧検知部２８ａで、所定時間毎（例えば１回／１秒）に検知する（ＳＴ１）。次に、検知した電圧が所定電圧（例えば、０，５Ｖ）以上であるか否かを判断して（ＳＴ２）、電圧が規定値以上の場合は、前記充電回路２８ｃをＯＮ状態とし（ＳＴ３）、所定の時間処理を行い、ＳＴ１にループする。一方、検知した電圧が所定電圧（例えば、０，５Ｖ）より低い場合は、前記点灯回路２８ｂをＯＮ状態として（ＳＴ５）、前記ＬＥＤ電球２５を点灯させ、所定の時間処理を行い、ＳＴ１にループする。
【００４３】
したがって、前記の制御を行う場合には、後述するように、前記ソーラーライト本体２０は、前記取付ホルダー４０から取り外して、載置して使用するときに、水平面に載置すると、前記太陽光パネル２３の電圧が低下して、前記ＬＥＤ電球２５を自動的に点灯することができる。
【００４４】
図７は前記ソーラーライト１０の前記照明カバー３１の斜視図であり、図８は前記ソーラーライト１０の前記照明カバー３１の縦断面図であり、図９は前記ソーラーライト１０の前記照明カバー３１の横縦断面斜視図である。
【００４５】
図７乃至図９に示すように、前記照明カバー３１は、環状の環状被保持部３１ａと、その縁から連続する円錐状部３１ｂとで成型してあり、前記環状被保持部３１ａの表面はすりガラス状のシボ加工を施して、前記ＬＥＤ電球２５を直視できないように形成すると共に、
前記円錐状部３１ｂの内面には、ティアドロップ形状に突設して成型した涙状突起部３２を円周に沿って多数個を一列に配置させ、また、縦方向においても約９列ほど多段に突設成型し、さらに、前記円錐状部３１ｂの頂部には四角錐状の錐状突起部３４を内方に向けて突設させて成型している。そして、前記照明カバー３１の先端部には、先端部を覆う化粧キャップ３３を被せており、基端部の周縁には、前記係合突部２９に突入する嵌合突片３５を前記係合突部２９の位置に符合させて成型している。
【００４６】
前記照明カバー３１は以上の構成からなるので、前記涙状突起部３２と前記錐状突起部３４とにより、前記ＬＥＤ電球２５からの発光を周囲に拡散させて、発光の均一性を保持すると共に、輝度向上も図ることができる。
【００４７】
また、前記照明カバー３１の内面一面に突設成型した前記涙状突起部３２は、優れた拡散性に加えて、ティアドロップ形状からなるため、成型時の型抜きの際に成型を損ねることなくスムースに型抜き作業を行うことができる。
【００４８】
また、前記照明カバー３１の先端部には、先端部を覆う化粧キャップ３３を被せており、基端部の周縁には、前記係合突部２９に突入する嵌合突片３５を前記係合突部２９の位置に符合させて成型している。
【００４９】
図１０は  前記ソーラーライト１０の取付ホルダー４０の斜視図である。前記取付ホルダー４０は、窓ガラス等に固定する吸盤４１ａを備える円形の取付基部４１ｂと、前記取付基部４１ｂから（水平面から）約５５度の角度で上方に傾斜する固定アーム４２と、前記固定アーム４２に連続して前記ソーラーライト本体２０を挟み持つ半環状の保持腕４３と、前記保持腕４３の両端に外方に向けて開くように成型され、前記ソーラーライト本体２０の挿入を容易にする挿入ガイド部４４とから構成される。
【００５０】
図１１は前記ソーラーライト１０の取付状態を示す出窓ＢＷの室外側からの斜視図であり、図１２は前記ソーラーライト１０の載置状態を示す出窓ＢＷの室内側からの斜視図であり、図１３はソーラーライトの取付状態における太陽光の受光状況の概略説明図である。
【００５１】
以上の構成からなる前記ソーラーライト１０を使用する場合は、通常は、図１１に示すように、窓ガラス（出窓）ＢＷの室内側に前記吸盤４１ａを取り付けた状態で使用する。このとき、前記固定アーム４２および前記保持腕４３は、水平面より約５５度の角度（図１５（ｂ）参照）で上方に傾斜しているので、前記保持腕４３に保持される前記ソーラーライト本体２０は、前記受光面２４を日射方向に対して概略直角方向に臨ませて位置させることが可能となり、従来例に比して日照強度に優れ充電効率の良いものとなる。
【００５２】
そして、図１１に示す取付状態においては、図１３に詳細に示すように、前記受光面２４は日射方向に対して概略直角方向に位置しているため、太陽光がに入射しているときは、前記太陽光パネル２３は発電を行い、前記制御部２８において前記太陽光パネル２３からの検知電圧が所定電圧（例えば、０，５Ｖ）以上となるときには、点灯回路を切り状態として、前記充電部２７に蓄電するのである。そして、前記受光面２４から前記太陽光パネル２３に入光する太陽光等が少なくなり、前記制御部２８において前記太陽光パネル２３からの検知電圧が所定電圧（例えば、０，５Ｖ）以下となるときは、点灯回路が入状態となり、前記ＬＥＤ電球２５を点灯させるのである。
【００５３】
また、前記ソーラーライト本体２０は、前記取付ホルダー４０から取り外し可能であるので、前記ソーラーライト本体２０単体で、簡易照明器具として持ち運びが可能であり、いろいろな場所に載置して使用することができる。例えば、図１２に示すように、出窓ＢＷの出っ張りスペースに載置したり、また玄関や廊下等に載置してマーカー灯として使用することができる。
【００５４】
そして、前記ソーラーライト本体２０を前記取付ホルダー４０から取り外して使用する場合は、前記受光面２４を載置面２２として、平面上に載置するので、前記受光面２４から前記太陽光パネル２３に入光する太陽光等が略ゼロになり、前記制御部２８において前記太陽光パネル２３からの検知電圧が所定電圧（例えば、０，５Ｖ）以下となるため、点灯回路が入状態となり、前記ＬＥＤ電球２５を点灯させるのである。したがって、前記ソーラーライト本体２０を載置する場合は、自動的に前記ＬＥＤ電球２５が点灯することとなる。一方、この載置状態において、前記ＬＥＤ電球２５を消灯させたい場合は、前記照明カバー３１を前記ソーラーライト本体２０から取り外して、スライドスイッチ２６を切り状態にすれば、強制的に前記ＬＥＤ電球２５を消灯させることができる。
【００５５】
なお、前記ソーラーライト１０は、前記ソーラーライト本体２０と前記取付ホルダー４０を別体として構成したが、一体的に構成しても良い。
【００５６】
図１６は北緯３５度の南中時の日射角度を示す概略図であり、（ａ）は夏至時、（ｂ）は春分秋分時、（ｃ）は冬至時の概略図であり、（ａ）の夏至時の日射角度Ｇは水平面から約７５度の角度であり、（ｂ）の春分秋分時の日射角度は約５５度でり、（ｃ）の冬至時の日射角度は約３５である。
【００５７】
前記固定アーム４２と前記保持腕４３とは、水平面から約５５度の角度で上方に傾斜して形成しており、好ましくは、水平面から５５度の角度を設けて形成すると良いが、図１５（ａ）及び（ｃ）を参照して、７５度乃至３５度の範囲で形成するようにしても良い。
【符号の説明】
【００５８】
１０      ソーラーライト
２０      ソーラーライト本体
２１      部品収納部
２２      載置面（充電面）
２３      太陽光パネル
２４      受光面
２５      ＬＥＤ電球
２６      スライドスイッチ
２７      充電部（充電池）
２８      制御部（制御基板）
２９      係合突部
３１      照明カバー
３１ａ    環状被保持部
３１ｂ    円錐状カバー
３２      ティアドロップ状（凸状）散光部
３３      化粧キャップ
３４      頂部（錐状）散光部
３５      嵌合凸部
４０      取付ホルダー
４１ａ    吸盤
４１ｂ    取付基部
４２      固定アーム
４３      半環状保持腕
４４      挿入ガイド部４４
ＢＷ      出窓
【図１】
0003174017.tif 000003
【図２】
0003174017.tif 000004
【図３】
0003174017.tif 000005
【図４】
0003174017.tif 000006
【図５】
0003174017.tif 000007
【図６】
0003174017.tif 000008
【図７】
0003174017.tif 000009
【図８】
0003174017.tif 000010
【図９】
0003174017.tif 000011
【図１０】
0003174017.tif 000012
【図１１】
0003174017.tif 000013
【図１２】
0003174017.tif 000014
【図１３】
0003174017.tif 000015
【図１４】
0003174017.tif 000016
【図１５】
0003174017.tif 000017
【図１６】
0003174017.tif 000018